(57)【要約】【課題】  ＥＬ層の長辺方向の各位置における輝度ムラを低減すること。【解決手段】  ＥＬ素子１００は、平面視すると略長方形のＥＬ層４０と、ＥＬ層４０の一方の面に接続されている陽極３０と、ＥＬ層４０の他方の面に接続されている陰極５０と、端子６３０〜６４０と接続される陽極端子部３４と、端子６２０〜６２４と接続される陰極端子部６４を有する。陽極端子部３４と陰極端子部６４がＥＬ層４０の下側の長辺に沿って伸びている。【選択図】  図１
2007026971.tif 000002
【特許請求の範囲】
【請求項１】
平面視すると略長方形のエレクトロルミネッセンス層と、前記エレクトロルミネッセンス層の一方の面に接続されている第１電極と、前記エレクトロルミネッセンス層の他方の面に接続されている第２電極と、前記第１電極に接続されている第１端子部と、前記第２電極に接続されている第２端子部とを備え、
前記第１端子部が、前記エレクトロルミネッセンス層の一方の長辺に沿って配置されており、
前記第２端子部が、前記エレクトロルミネッセンス層の一方又は他方の長辺に沿って配置されているエレクトロルミネッセンス素子。
【請求項２】
請求項１のエレクトロルミネッセンス素子であり、
前記第１端子部と前記第２端子部が、前記エレクトロルミネッセンス層の同じ長辺に沿って配置されているエレクトロルミネッセンス素子。
【請求項３】
請求項１又は２のエレクトロルミネッセンス素子であり、
前記第１電極を構成する材料の体積抵抗率は、前記第２電極を構成する材料の体積抵抗率より大きく、
前記第１端子部における前記エレクトロルミネッセンス層の長辺方向の幅が、前記第２端子部における前記エレクトロルミネッセンス層の長辺方向の幅より大きいことを特徴とするエレクトロルミネッセンス素子。
【請求項４】
請求項３のエレクトロルミネッセンス素子であり、
前記第１端子部における前記エレクトロルミネッセンス層の長辺方向の幅が、前記エレクトロルミネッセンス層の長辺の１／２以上であることを特徴とするエレクトロルミネッセンス素子。
【請求項５】
請求項１から４のいずれかのエレクトロルミネッセンス素子であり、
前記第１電極を構成する材料の体積抵抗率は、前記第２電極を構成する材料の体積抵抗率より大きく、
前記第１電極の表面上又は内部には、前記第１電極を構成する材料より体積抵抗率の小さい材料で構成されている補助電極が配置されており、
前記補助電極は、前記第１端子部と前記第１電極の前記エレクトロルミネッセンス層が接続される領域との間の領域であって、前記第１端子部と前記エレクトロルミネッセンス層との間の距離よりも前記第１端子部からの距離が大きい領域に少なくとも配置されていることを特徴とするエレクトロルミネッセンス素子。
【請求項６】
請求項５のエレクトロルミネッセンス素子であり、
前記補助電極における前記エレクトロルミネッセンス層の長辺方向の幅が、前記第１端子部における前記エレクトロルミネッセンス層の長辺方向の幅より大きいことを特徴とするエレクトロルミネッセンス素子。
【請求項７】
請求項１から６のいずれかのエレクトロルミネッセンス素子であり、
前記エレクトロルミネッセンス層が有機エレクトロルミネッセンス材料を含むことを特徴するエレクトロルミネッセンス素子。
【請求項８】
前記第１端子部と前記第２端子部が、前記エレクトロルミネッセンス層の同じ長辺に沿って配置されている請求項１から７のいずれかのエレクトロルミネッセンス素子と、
前記第１端子部と接続されている第１導電体と、前記第２端子部と接続されている第２導電体とを有する導電体用基板とを備えるエレクトロルミネッセンス素子ユニットであり、
前記エレクトロルミネッセンス素子はエレクトロルミネッセンス素子用基板を有しており、
前記エレクトロルミネッセンス素子用基板における前記エレクトロルミネッセンス層の長辺方向の幅が、前記導電体用基板における前記エレクトロルミネッセンス層の長辺方向の幅より大きいことを特徴とするエレクトロルミネッセンス素子ユニット。
【請求項９】
平面視すると横長のエレクトロルミネッセンス層と、前記エレクトロルミネッセンス層の一方の面に接続されている第１電極と、前記エレクトロルミネッセンス層の他方の面に接続されている第２電極と、エレクトロルミネッセンス素子用基板とを有するエレクトロルミネッセンス素子と、
前記エレクトロルミネッセンス素子の前記第１電極と電気的に接続されている第１導電体と、前記エレクトロルミネッセンス素子の前記第２電極と電気的に接続されている第２導電体とを有する導電体用基板とを備えるエレクトロルミネッセンス素子ユニットであり、
前記エレクトロルミネッセンス素子用基板の横幅が、前記導電体用基板の横幅より大きいことを特徴とするエレクトロルミネッセンス素子ユニット。
【発明の詳細な説明】
【技術分野】
【０００１】
本発明は、エレクトロルミネッセンス素子（以下ではＥＬ素子と呼ぶ）に関する。特に、略長方形状のエレクトロルミネッセンス層（以下ではＥＬ層と呼ぶ）を有するＥＬ素子に関する。また、そのＥＬ素子を有するＥＬ素子ユニットに関する。
【背景技術】
【０００２】
ＥＬ素子が広く知られている。多くのＥＬ素子は、ＥＬ層と、ＥＬ層の一方の面に接続されている陽極と、ＥＬ層の他方の面に接続されている陰極を備える。陽極は陽極端子部を有している。陽極端子部は、外部の導電体（陽極用導電体という）と接続される。陽極用導電体は外部電源の正極に接続される。これにより、外部電源の正極とＥＬ素子の陽極が電気的に接続される。一方において、陰極は陰極端子部を有している。陰極端子部は、外部の導電体（以下では陰極用導電体という）と接続される。陰極用導電体は外部電源の負極に接続される。これにより、外部電源の負極とＥＬ素子の陰極が電気的に接続される。陽極用導電体と陰極用導電体を介して両電極に通電すると、ＥＬ層が発光する。
ＥＬ層の形状を変えることによって、所望の形状の発光面を得ることができる。近年は、特許文献１等に開示されているように、平面視すると長方形状のＥＬ層を有するＥＬ素子が多くの分野で採用されている。特許文献１に開示されているＥＬ素子では、陽極の取り出し端子と陰極の取り出し端子が長方形状のＥＬ層の同じ短辺に沿って並んで配置されている。
【特許文献１】特開２００１−２４４０６９号公報
【発明の開示】
【発明が解決しようとする課題】
【０００３】
上記の従来技術では、陽極の取り出し端子と陰極の取り出し端子がＥＬ層の一方の短辺に沿って配置されている。従って、ＥＬ層の一方の短辺付近における電極には、電流が安定的に流れる。しかしながら、ＥＬ層の他方の短辺付近における電極には、両端子から離れているために、流れる電流が少なくなる。このために、ＥＬ層の一方の短辺付近ではＥＬ層が明るく発光するが、ＥＬ層の一方の短辺から遠ざかると輝度が落ちるという問題がある。特に、ＥＬ層の長辺が長くなればなる程、ＥＬ層の長辺方向において輝度の差（輝度ムラ）が顕著になる。
【０００４】
本発明は、上記した実情に鑑みてなされたものであり、従来よりもＥＬ層の輝度ムラを低減することができる技術を提供することを目的とする。
【課題を解決するための手段】
【０００５】
本発明のＥＬ素子は、平面視すると略長方形のＥＬ層と、ＥＬ層の一方の面に接続されている第１電極と、ＥＬ層の他方の面に接続されている第２電極と、第１電極に接続されている第１端子部と、第２電極に接続されている第２端子部を備える。第１端子部は、ＥＬ層の一方の長辺に沿って配置されている。第２端子部は、ＥＬ層の一方又は他方の長辺に沿って配置されている。ここで、本明細書において、電極と端子部が別体で構成されている場合も、一体で構成されている場合も、「電極と端子部が接続される」と言う。
このＥＬ素子によると、端子部がＥＬ層の長辺に沿って配置されているために、ＥＬ層の長辺方向に伸びる導電体を利用して外部電源を両電極に接続することができる。これにより、ＥＬ層の長辺方向において電極の各位置に従来よりも均一に電流を流すことが可能となる。このために、ＥＬ層の長辺方向の各位置での輝度ムラを低減することができる。
なお、以下では、特に明記しない限り、「長辺方向（又は短辺方向）」と記載した場合はＥＬ層の長辺方向（又は短辺方向）を意味するものとする。
また、「ＥＬ層の長辺に沿って配置されている端子部（第１端子部及び第２端子部）」とは、端子部が連続して伸びていることのみを意味するのではなく、ＥＬ層の長辺に沿って端子部が不連続に並んで配置されている場合も「ＥＬ層の長辺に沿って配置されている端子部」と言う。
【０００６】
第１端子部と第２端子部がＥＬ層の同じ長辺に沿って配置されるようにしてもよい。
この技術によると、外部電極とＥＬ素子をつなぐ導電体（陽極用導電体と陰極用導電体）をＥＬ素子の一方側から各端子部に接続することができる。
【０００７】
第２電極を構成する材料より体積抵抗率が大きい材料で第１電極が構成されている場合は、第１端子部におけるＥＬ層の長辺方向の幅を、第２端子部におけるＥＬ層の長辺方向の幅よりも大きくすることが好ましい。
この構成によると、第１電極の長辺方向の各位置に流れる電流の差を低減することが可能となる。このために、ＥＬ層の輝度ムラを低減することができる。
【０００８】
なお、第１端子部におけるＥＬ層の長辺方向の幅が、ＥＬ層の長辺の１／２以上であってもよい。
第１端子部が長辺方向に長く確保されているために、輝度ムラを低減することが可能となる。
【０００９】
第１電極を構成する材料の体積抵抗率が第２電極を構成する材料の体積抵抗率よりも大きい場合、第１電極の表面上又は内部に、第１電極を構成する材料より体積抵抗率の小さい材料で構成されている補助電極を配置してもよい。この補助電極は、第１端子部と第１電極のＥＬ層が接続される領域との間の領域に配置されている。ここで、「第１電極のＥＬ層が接続される領域」とは、平面視で第１電極とＥＬ層が重なる領域を意味する。
かかる構成を採用する場合、補助電極が、第１端子部と第１電極のＥＬ層が接続される領域との間の中でも特に、第１端子部とＥＬ層との間の距離よりも第１端子部からの距離が大きい領域に少なくとも配置されていることが好ましい。例えば、補助電極がＥＬ層に沿った長方形状（帯状）であり、この補助電極におけるＥＬ層の長辺方向の幅が、第１端子部におけるＥＬ層の長辺方向の幅よりも大きければさらに好ましい。なお、補助電極におけるＥＬ層の長辺方向の幅が、ＥＬ層の長辺の１／２以上としてもよい。
体積抵抗率の小さい材料で構成された補助電極を用いることにより、ＥＬ層の長辺方向の輝度ムラを低減することができる。
【００１０】
上記した各ＥＬ素子は、ＥＬ層が有機ＥＬ材料を含むものであることが好ましい。
【００１１】
ＥＬ層の同じ長辺に沿って第１端子部と第２端子部が配置されているＥＬ素子と、第１端子部と接続されている第１導電体と第２端子部と接続されている第２導電体とを有する導電体用基板とを備えるＥＬ素子ユニットも本発明者によって開発された技術の１つである。このユニットでは、ＥＬ素子はＥＬ素子用基板を有している。そして、ＥＬ素子用基板におけるＥＬ層の長辺方向の幅が、導電体用基板におけるＥＬ層の長辺方向の幅より大きい。
この技術思想をより一般化して表現すると、次のようになる。即ち、ＥＬ素子ユニットは、ＥＬ素子と導電体用基板を有する。ＥＬ素子は、平面視すると横長のＥＬ層と、ＥＬ層の一方の面に接続されている第１電極と、ＥＬ層の他方の面に接続されている第２電極と、ＥＬ素子用基板とを有する。導電体用基板は、ＥＬ素子の第１電極と接続されている第１導電体と、ＥＬ素子の第２電極と接続されている第２導電体を有する。そして、このＥＬ素子ユニットは、ＥＬ素子用基板の横幅が導電体用基板より大きいことを特徴とする。
【発明を実施するための最良の形態】
【００１２】
最初に、下記の実施例に記載の技術の主要な特徴をまとめておく。
（特徴１）ＥＬ素子用基板は、透明のガラス基板である。
（特徴２）陽極（第１電極）として、ＩＴＯ（Ｉｎｄｉｕｍ  Ｔｉｎ  Ｏｘｉｄｅ；スズがドープされた酸化インジウム）を採用する。ＩＴＯは透明である。
（特徴３）ＥＬ素子用基板の横幅（ＥＬ層の長辺方向の幅）のほぼ全域に亘って陽極が形成されている。
（特徴４）陽極の横幅よりＥＬ層の横幅が大きい。
（特徴５）ＥＬ層の横幅のほぼ全域に亘って陰極（第２電極）が形成されている。
（特徴６）陰極は、ＥＬ層と接続されている金属層で形成されている。陰極端子部（第２端子部）は、陰極を形成する金属よりも体積抵抗率の高い材料で形成されており、陰極と接続されている。
（特徴７）陽極はガラス基板（ＥＬ素子用基板）の上面に形成されている。形態６の陰極端子部もガラス基板上に形成されており、陽極と同じ材料によって構成されている。
（特徴８）陽極を構成する材料の体積抵抗率は、陰極を構成する材料の体積抵抗率より大きい。この場合、陽極端子部の横幅が陰極端子部の横幅の２倍以上あることが好ましい。より好ましくは、陽極端子部の横幅が陰極端子部の横幅の１０倍以上あることが好ましい。
（特徴９）ＥＬ素子と外部電源を接続する導電体（第１及び第２導電体）用の基板としてフレキシブルプリント基板（導電体用基板）を採用する。
（特徴１０）陽極端子部と陰極端子部がＥＬ層の同じ長辺に沿って配置される場合、陽極端子部と陰極端子部の間にはギャップが設けられる。このギャップの横幅は、陽極端子部の横幅より小さいとともに陰極端子部の横幅より小さい。
（特徴１１）補助電極はＥＬ層の長辺方向に伸びている。
【実施例】
【００１３】
（第１実施例）  図面を参照して本発明の実施例を説明する。図１は、本実施例のＥＬ素子ユニット７００の平面図である。ＥＬ素子ユニット７００は、ＥＬ素子１００とフレキシブルプリント基板６００（以下ではＦＰＣと記載する）を有する。
まず、図１から図４を用いて、ＥＬ素子１００の構成について詳しく説明する。図２は、図１のII−II線断面図である。図３は、図１のIII−III線断面図である。図４は、図１のIV−IV線断面図である。
ＥＬ素子１００は、ガラス基板２０と陽極３０とＥＬ層４０と陰極５０を有している。図１に示されるように、ガラス基板２０は、平面視すると長方形状である。図２から図４に示されるように、ガラス基板２０の厚みは一定である。ガラス基板２０は無色透明である。ガラス基板２０は、絶縁物質によって構成されている。
【００１４】
陽極３０は、ガラス基板２０の上面に形成されている。なお、本実施例においては、「上面」とは、図１の紙面垂直方向の手前側の面を意味するものとする。従って、「下面」とは、図１の紙面垂直方向の奥側の面を意味する。これら以外の方向については、説明に用いた図面を見たときの方向に従うものとする。陽極３０は、平面視すると略Ｌ字形状である。即ち、陽極３０は、ガラス基板２０の横幅のほぼ全域に亘って伸びている部分３０ａと、その部分３０ａの主に右側領域から下方（図１の下方）に伸びている部分３０ｂを有している。図２から図４に示されるように、陽極３０の厚みは一定である。陽極３０は、ＩＴＯと呼ばれる材料によって形成されている。ＩＴＯは無色透明である。即ち、陽極３０は無色透明である。
陽極３０の部分３０ｂの下端には、後述するＦＰＣ６００の端子部６３０〜６４０と接続される陽極端子部３４が形成されている。陽極端子部３４は、陽極３０の他の部分と同じ材料で同じ厚さに一体的に構成されている。従って、陽極３０は陽極端子部３４に電気的に接続されている。なお図中の仮想線３２は陽極端子部３４の上端である。ＦＰＣ６００の上側の辺が仮想線３２と重複するように、ＥＬ素子１００の上面にＦＰＣ６００が接続される。
陽極端子部３４は左右方向に伸びている。陽極端子部３４は、後述するＥＬ層４０の下側の長辺に沿って配置されている。なお、陽極端子部３４は、ガラス基板２０の下側の長辺に沿って配置されているとも言える。
【００１５】
ＥＬ層４０は、主に陽極３０の上面に形成されている。ＥＬ層４０の一部（例えば左右の両端部）は、ガラス基板２０の上面に形成されている。図２〜図４には、ＥＬ層４０の一部がガラス基板２０の上面に形成されている様子が良く示されている。ＥＬ層４０は、平面視すると略長方形状である（図１参照）。
図２から図４に示されるように、陽極３０の上面に形成されている部分においては、ＥＬ層４０の厚さは一定である。
ＥＬ層４０としては、Ａｌｑ３等の発光材料を用いることで、赤色、緑色、青色、黄色等の単色光を示す構成のものや、それらの組合せによる発光色（例えば白色発光）を示す構成のもの等を利用することができる。白色を示す構成としては、発光層を２層や３層に積層させる積層型、１層の発光層に異なる発光材料を混合させる混合型、１層を面内方向のエリアに分けて異なる発光層を塗り分ける塗り分け型等が挙げられる。
また、電荷（正孔、電子）注入層、電荷輸送層、ブロック層等の機能層を適宜組合せることもできる。
【００１６】
陰極５０は、主にＥＬ層４０の上面に形成されている。陰極５０は、金属によって構成されている。陰極５０の大部分はＥＬ層４０の上面に形成されているが、図３に良く示されるように、陰極５０の一部はガラス基板２０の上面に形成されている。陰極５０の一部は、接続部６０の上面に形成されている。陰極５０は、平面視すると略Ｌ字形状である（図１参照）。即ち、陰極５０は、ＥＬ層４０の横幅のほぼ全域に亘って伸びる部分５０ｂと、その部分５０ｂの左側領域から下方（図１の下方）に伸びる部分５０ｃを有している。符号５０ａは、陰極５０の部分５０ｃの下端を示している。図２から図４に示されるように、陰極５０は、ＥＬ層４０の上面に形成されている大部分の厚さが一定である。陰極５０は、ＩＴＯよりも体積抵抗率が小さい金属、例えばアルミニウム、金、銀、銅、クロム等、又はこれらの合金によって形成されている。
上記の説明から明らかなように、ＥＬ層４０の下面に陽極３０が接続されており、ＥＬ層４０の上面に陰極５０が接続されている。ＥＬ層４０は、陽極３０と陰極５０によって挟まれた構成であると言える。
接続部６０は、ガラス基板２０上に形成されている（図３参照）。接続部６０は、平面視すると横長の長方形状である（図１参照）。接続部６０の上部の上面に陰極５０が接続されている。これにより、陰極５０と接続部６０とが電気的に接続されている。図１の符号６０ａは接続部６０の上端である。接続部６０はＩＴＯによって構成されている。即ち、接続部６０は、陽極３０と同じ材料によって構成されている。接続部６０の下方には、後述するＦＰＣ６００の端子６２０〜６２４と接続される陰極端子部６４が設けられている。陰極端子部６４は、接続部６０の他の部分と区別して陰極端子部と呼ばれるが、接続部６０の他の部分と構成が異なることはない。陰極端子部６４は、接続部６０の他の部分と同一の材料によって同じ厚みに形成されている。従って、陰極５０は、接続部６０を介して陰極端子部６４と電気的に接続されている。
図中の仮想線６２は陰極端子部６４の上端である。ＦＰＣ６００の上側の辺が仮想線６２と重複するように、ＥＬ素子１００の上面にＦＰＣ６００が接続される。
陰極端子部６４は、ＥＬ層４０の下側の長辺に沿って配置されている。なお、陰極端子部６４は、ガラス基板２０の下側の長辺に沿って配置されているとも言える。陰極端子部６４は、陽極端子部３４と隣り合わせに並んでいる。陰極端子部６４と陽極端子部３４との間にはギャップＬ４が設けられている。
【００１７】
図１を参照にして、上記した構成を有するＥＬ素子１００のサイズについて説明する。ＥＬ層４０の横幅Ｌ１は約１００ｍｍである。陽極３０の横幅よりもＥＬ層４０の横幅が大きく、ＥＬ層４０の横幅よりも陰極５０の横幅が小さい。
ＥＬ層４０の右辺とガラス基板２０の右辺の間は約１ｍｍである。ＥＬ層４０の左辺とガラス基板２０の左辺の間は約１ｍｍである。従って、ガラス基板２０の横幅Ｌ０は約１０２ｍｍである。
陽極端子部３４の横幅Ｌ２は約９７ｍｍである。陰極端子部６４の横幅Ｌ３は約２ｍｍである。陽極端子部３４と陰極端子部６４の間のギャップＬ４は約１ｍｍである。本実施例では、陽極端子部３４の横幅Ｌ２は、陰極端子部６４の横幅Ｌ３よりもかなり大きい。陽極３０を構成するＩＴＯの体積抵抗率が陰極５０の体積抵抗率よりも大きいために、陽極端子部３４の横幅Ｌ２を大きく確保している。これにより、陽極３０の長辺方向に均一に電圧が印加されるようにしている。陰極５０の体積抵抗率が小さいために、陰極５０に幅の短い陰極端子部６４を採用しても問題はない。
ガラス基板２０の縦幅Ｌ０’は約６ｍｍである。ＥＬ層４０の縦幅Ｌ１’は約２ｍｍである。本実施例では、ＥＬ層４０の縦幅が非常に小さい。ＥＬ層４０は、長辺と短辺の比が約５０対１の略長方形である。ＥＬ層４０はほぼ線状であると言うこともできる。
陽極３０とＥＬ層４０と陰極５０のそれぞれの厚さは非常に薄い。ナノ単位の厚さに管理されている。ガラス基板２０は、各層３０，４０，５０より厚い。
【００１８】
続いて、ＦＰＣ６００の構成を説明する。ＦＰＣ６００は、基板本体部材６１０と、陰極端子部６４に接続される端子６２０，６２２，６２４と、陽極端子部３４に接続される端子６３０，６３２，６３４，６３６，６３８，６４０を有している。基板本体部材６１０は、絶縁物質によって構成されている。図１では、ＦＰＣ６００の下方を図示省略している。
端子６２０，６２２，６２４は、基板本体部材６１０の下面に形成されている。端子６２０は、上下方向（図１の上下方向）に伸びる導電性物質によって構成されている。同様に、端子６２２と６２４のそれぞれも、上下方向に伸びる導電性物質によって構成されている。端子６２０〜６２４のそれぞれは、その下方において外部電源（図示省略）と接続されている。それぞれの端子６２０〜６２４は、薄くて細い配線パターンである。
端子６３０，６３２，６３４，６３６，６３８，６４０は、基板本体部材６１０の下面に形成されている。端子６３０は、上下方向（図１の上下方向）に伸びる導電性物質によって構成されている。同様に、端子６３２〜６４０のそれぞれも、上下方向に伸びる導電性物質によって構成されている。端子６３０〜６４０のそれぞれは、その下方において外部電源（図示省略）と接続されている。それぞれの端子６３０〜６４０は、薄くて細い配線パターンである。
陰極端子部６４の上面と陽極端子部３４の上面に、ＦＰＣ６００の下面が接続される。接続には異方性導電膜が利用される。このとき、陰極端子部６４に端子６２０〜６２４が接触するように接続される。また、陽極端子部３４に端子６３０〜６４０が接触するように接続される。
【００１９】
ＥＬ素子１００とＦＰＣ６００が接続されることによって、ＥＬ素子ユニット７００が完成する。ＦＰＣ６００の横幅Ｌ５は、ＥＬ素子１００のガラス基板２０の横幅Ｌ０よりも若干小さい。ＥＬ素子１００とＦＰＣ６００が接続された状態では、ＥＬ素子１００のガラス基板２０の横幅内にＦＰＣ６００が収まる。ガラス基板２０の横幅内にＦＰＣ６００が収まっているＥＬ素子ユニット７００は、その横幅方向において非常にコンパクトである。
陽極端子部３４には、ＦＰＣ６００の端子６３０〜６４０を介して高電位が印加される。一方、陰極端子部６４には低電位が印加される。陽極３０と陰極５０の間には電位差が生じる。これにより、ＥＬ層４０に電力が供給されてＥＬ層４０が発光する。陽極３０とガラス基板２０が無色透明であるために、ＥＬ層４０で発光した光は、直接に又は陰極５０で反射した後に、陽極３０とガラス基板２０を透過する。ガラス基板２０の下面から光を取出すことができる。
陽極端子部３４が左右方向に伸びているために、陽極３０の左右方向での電位差は小さい。陰極端子部６４の左右方向の幅は陽極端子部３４と比べて小さいが、陰極５０を構成する金属の体積抵抗率は小さいために、陰極５０の左右方向での電位差も小さい。このため、ＥＬ層４０に印加される電圧は左右方向の差が小さく、ＥＬ層４０に流れる電流の左右方向の差も小さくなる。従って、左右方向での輝度ムラが低減される。
【００２０】
以上に説明したように、本実施例のＥＬ素子１００によると、ＥＬ層４０の各位置において輝度ムラを低減することができる。また、陽極端子部３４と陰極端子部６４が下方側（図１の下方側）に配置されているために、端子６３０〜６４０と端子６２０〜６２４をＦＰＣ６００の基板本体部材６１０の一辺（図１の上側の辺）に沿って配置することができる。このために、ＦＰＣ６００の構成を簡単にすることができる。
また、ＥＬ素子ユニット７００は、ガラス基板２０におけるＥＬ層４０の長辺方向の幅が、ＦＰＣ６００におけるＥＬ層４０の長辺方向の幅よりも大きい。このため、ＦＰＣ６００を含めたＥＬ素子ユニット７００が非常にコンパクトになる。
本実施例のＥＬ素子ユニット７００は、例えば、コピー機、ファクシミリ、スキャナ等の画像読取部用の光源として好適である。ＥＬ素子ユニット７００の長手方向にＦＰＣ６００が伸びていないので、画像読取部やそれを使ったコピー機、ファクシミリ、スキャナーの小型化、特にＥＬ素子ユニットの長手方向の小型化に寄与する。
【００２１】
（第２実施例）
図５を参照して、第２実施例のＥＬ素子２００について説明する。図５は、ＥＬ素子２００の平面図である。ＥＬ素子２００は、ガラス基板２０と陽極１３０とＥＬ層１４０と陰極１５０を有している。ガラス基板２０は、第１実施例のものと同様である。ここでの詳しい説明を省略する。また本実施例において、陽極１３０とＥＬ層１４０と陰極１５０を構成している材料は第１実施例と同様である。以下では、材料の説明を省略する。後述する第３実施例以降の実施例でも、ガラス基板２０についての説明と、各要素の材料についての説明を省略する。
陽極１３０は、ガラス基板２０の上面に形成されている。陽極１３０は、平面視すると略Ｔ字形状である。即ち、陽極１３０は、ガラス基板２０の横幅のほぼ全域に亘って伸びている部分１３０ａと、その部分１３０ａの中央領域から下方（図５の下方）に伸びている部分１３０ｂを有している。陽極１３０の部分１３０ｂの下端には、ＦＰＣの端子（図示省略）と接続される陽極端子部１３４が形成されている。図中の仮想線１３２は陽極端子部１３４の上端である。陽極端子部１３４は、ＥＬ層１４０の下側の長辺に沿って配置されている。
ＥＬ層１４０は、主に陽極１３０の上面に形成されている。ＥＬ層１４０は、平面視すると横長の長方形状である。
【００２２】
陰極１５０は、主にＥＬ層１４０の上面に形成されている。陰極１５０は、金属によって構成されている。陰極１５０は、ＥＬ層１４０の横幅のほぼ全域に亘って伸びる部分１５０ｃと、その部分１５０ｃの左側領域から下方（図５の下方）に伸びる部分１５０ｄと、その部分１５０ｃの右側領域から下方に伸びる部分１５０ｅを有している。符号１５０ａは、陰極１５０の部分１５０ｄの下端を示している。符号１５０ｂは、陰極１５０の部分１５０ｅの下端を示している。
一方の接続部１６０は、平面視すると長方形状である。一方の接続部１６０の上部の上面に、陰極１５０の部分１５０ｄが接続されている。これにより、陰極１５０と一方の接続部１６０が電気的に接続されている。符号１６０ａは一方の接続部１６０の上端である。一方の接続部１６０の下端には、ＦＰＣの端子（図示省略）と接続される陰極端子部１６３が形成されている。図中の仮想線１６２は一方の陰極端子部１６３の上端である。一方の陰極端子部１６３は左右方向に伸びている。即ち、一方の陰極端子部１６３は、ＥＬ層１４０の下側の長辺に沿って配置されている。
他方の接続部１６６は、平面視すると長方形状である。他方の接続部１６６の横幅は一方の接続部１６０の横幅と等しい。他方の接続部１６６の上部の上面に、陰極１５０の部分１５０ｅが接続されている。これにより、陰極１５０と他方の接続部１６６が電気的に接続されている。符号１６６ａは他方の接続部１６６の上端である。他方の接続部１６６の下端には、ＦＰＣの端子（図示省略）と接続される陰極端子部１６９が形成されている。図中の仮想線１６８は他方の陰極端子部１６９の上端である。他方の陰極端子部１６９は左右方向に伸びている。即ち、他方の陰極端子部１６９は、ＥＬ層１４０の下側の長辺に沿って配置されている。
なお、陽極端子部１３４の横幅（左右方向の長さ）は、一方の陰極端子部１６３の横幅と他方の陰極端子部１６９の横幅の和よりも大きい。また、陽極端子部１３４の横幅は、ＥＬ層１４０の横幅の１／２以上である。
【００２３】
図示省略のＦＰＣは、両陰極端子部１６３，１６９に接続される端子と、陽極端子部１３４に接続される端子を有している。ＥＬ素子２００にＦＰＣが接続された状態では、ガラス基板２０の横幅内にＦＰＣが収まっている。
陽極端子部１３４が左右方向に伸びているために、陽極１３０の左右方向での電位差は小さい。陰極端子部１６３，１６９の左右方向の幅は陽極端子部１３４と比べて小さいが、陰極１５０を構成する金属の体積抵抗率は小さいために、陰極１５０の左右方向での電位差も小さい。このため、ＥＬ層１４０に印加される電圧は左右方向の差が小さく、ＥＬ層１４０に流れる電流の左右方向の差も小さくなる。従って、左右方向での輝度ムラが低減される。
以上に説明したように、本実施例のＥＬ素子２００によると、ＥＬ層１４０の各位置において輝度ムラを低減することができる。また、陽極端子部１３４と陰極端子部１６３，１６９が下方側（図５の下方側）に配置されているために、ＦＰＣの基板本体部材の一辺に沿って端子を配置することができる。このために、ＦＰＣの構成を簡単にすることができる。
また、本実施例では、ガラス基板２０におけるＥＬ層１４０の長辺方向の幅が、ＦＰＣにおけるＥＬ層１４０の長辺方向の幅よりも大きい。このため、ＦＰＣを含めたＥＬ素子ユニットが非常にコンパクトになる。
本実施例のＥＬ素子ユニットは、例えば、コピー機、ファクシミリ、スキャナ等の画像読取部用の光源として好適である。ＥＬ素子ユニットの長手方向にＦＰＣが伸びていないので、画像読取部やそれを使ったコピー機、ファクシミリ、スキャナーの小型化、特にＥＬ素子ユニットの長手方向の小型化に寄与する。
【００２４】
（第３実施例）
図６を参照して、第３実施例のＥＬ素子３００について説明する。図６は、ＥＬ素子３００の平面図である。ＥＬ素子３００は、ガラス基板２０と陽極２３０とＥＬ層２４０と陰極２５０を有している。
陽極２３０は、ガラス基板２０の上面に形成されている。陽極２３０は、ガラス基板２０の横幅のほぼ全域に亘って伸びている部分２３０ａと、その部分２３０ａの左側領域から下方（図６の下方）に伸びている部分２３０ｂと、その部分２３０ａの右側領域から下方に伸びている部分２３０ｃを有している。陽極２３０の部分２３０ｂの下端には、ＦＰＣの端子（図示省略）と接続される一方の陽極端子部２３４ａが形成されている。図中の仮想線２３２ａは一方の陽極端子部２３４ａの上端である。一方の陽極端子部２３４ａは左右方向に伸びている。即ち、一方の陽極端子部２３４ａは、ＥＬ層２４０の下側の長辺に沿って配置されている。陽極２３０の部分２３０ｃの下端には、ＦＰＣの端子（図示省略）と接続される他方の陽極端子部２３４ｂが形成されている。仮想線２３２ｂは他方の陽極端子部２３４ｂの上端である。他方の陽極端子部２３４ｂは左右方向に伸びている。即ち他方の陽極端子部２３４ｂは、ＥＬ層２４０の下側の長辺に沿って配置されている。
ＥＬ層２４０は、主に陽極２３０の上面に形成されている。ＥＬ層２４０は、平面視すると横長の長方形状である。
【００２５】
陰極２５０は、主にＥＬ層２４０の上面に形成されている。陰極２５０は、金属によって構成されている。陰極２５０は、平面視すると略Ｔ字形状である。即ち、陰極２５０は、ＥＬ層２４０の横幅のほぼ全域に亘って伸びる部分２５０ｂと、その部分２５０ｂの中央から下方（図６の下方）に伸びる部分２５０ｃを有している。符号２５０ａは、部分２５０ｃの下端を示している。
接続部２６０は、平面視すると横長の長方形状である。接続部２６０の上部の上面に、陰極２５０の部分２５０ｃが接続されている。これにより、陰極２５０と接続部２６０が電気的に接続されている。符号２６０ａは接続部２６０の上端である。接続部２６０の下端には、ＦＰＣの端子（図示省略）と接続される陰極端子部２６４が形成されている。図中の仮想線２６２は陰極端子部２６４の上端である。陰極端子部２６４は左右方向に伸びている。即ち、陰極端子部２６４は、ＥＬ層２４０の下側の長辺に沿って配置されている。
なお、一方の陽極端子部２３４ａの横幅（左右方向の長さ）と他方の陽極端子部２３４ｂの横幅の和は、陰極２５０の陰極端子部２６４の横幅よりも大きい。一方の陽極端子部２３４ａの横幅と他方の陽極端子部２３４ｂの横幅の和は、ＥＬ層２４０の横幅の１／２よりも大きい。
【００２６】
図示省略のＦＰＣは、陰極端子部２６４に接続される端子と、両陽極端子部２３４ａ，２３４ｂに接続される端子を有している。ＥＬ素子３００にＦＰＣが接続された状態では、ガラス基板２０の横幅内にＦＰＣが収まっている。
本実施例では、陽極端子部２３４ａ，２３４ｂが左右方向に伸びているために、陽極２３０の左右方向での電位差は小さい。陰極端子部２６４の左右方向の幅は陽極端子部２３４ａ，２３４ｂと比べて小さいが、陰極２５０を構成する金属の体積抵抗率が小さいために、陰極２５０の左右方向での電位差も小さい。このため、ＥＬ層２４０に印加される電圧は左右方向の差が小さく、ＥＬ層２４０に流れる電流の左右方向の差も小さくなる。従って、左右方向での輝度ムラが低減される。
以上に説明したように、本実施例のＥＬ素子３００によると、ＥＬ層２４０の各位置において輝度ムラを低減することができる。また、陽極端子部２３４ａ，２３４ｂと陰極端子部２６４が下方側（図６の下方側）に配置されているために、ＦＰＣの基板本体部材の一辺に沿って端子を配置することができる。このために、ＦＰＣの構成を簡単にすることができる。
また、本実施例では、ガラス基板２０におけるＥＬ層２４０の長辺方向の幅が、ＦＰＣにおけるＥＬ層２４０の長辺方向の幅よりも大きい。このため、ＦＰＣを含めたＥＬ素子ユニットが非常にコンパクトになる。
本実施例のＥＬ素子ユニットは、例えば、コピー機、ファクシミリ、スキャナ等の画像読取部用の光源として好適である。ＥＬ素子ユニットの長手方向にＦＰＣが伸びていないので、画像読取部やそれを使ったコピー機、ファクシミリ、スキャナーの小型化、特にＥＬ素子ユニットの長手方向の小型化に寄与する。
【００２７】
（第４実施例）
図７を参照して、第４実施例のＥＬ素子４００について説明する。図７は、ＥＬ素子４００の平面図である。ＥＬ素子４００は、ガラス基板２０と陽極３３０とＥＬ層３４０と陰極３５０を有している。
陽極３３０は、ガラス基板２０の上面に形成されている。陽極３３０は、平面視すると長方形状である。陽極３３０は、ガラス基板２０の横幅のほぼ全域に亘って伸びている。陽極３３０の下端には、ＦＰＣの端子（図示省略）と接続される陽極端子部３３４が形成されている。仮想線３３２は陽極端子部３３４の上端である。陽極端子部３３４はＥＬ層３４０の下側の長辺に沿って配置されている。
ＥＬ層３４０は、主に陽極３３０の上面に形成されている。ＥＬ層３４０は、平面視すると左右方向に伸びる長方形状である。
【００２８】
陰極３５０は、主にＥＬ層３４０の上面に形成されている。陰極３５０は、金属によって構成されている。陰極３５０は、平面視すると略Ｌ字形状である。即ち、陰極３５０は、ＥＬ層３４０の横幅のほぼ全域に亘って伸びる部分３５０ｂと、その部分３５０ｂの左側領域から上方（図７の上方）に伸びる部分３５０ｃを有している。符号３５０ａは、部分３５０ｃの上端を示している。
接続部３６０は、平面視すると長方形状である。接続部３６０の下部の上面に、陰極３５０の部分３５０ｃが接続されている。これにより、陰極３５０と接続部３６０が電気的に接続されている。符号３６０ａは接続部３６０の下端である。接続部３６０の上端には、ＦＰＣの端子（図示省略）と接続される陰極端子部３６４が形成されている。図中の仮想線３６２は陰極端子部３６４の下端である。陰極端子部３６４は、ＥＬ層３４０の上側の長辺に沿って配置されている。
なお、陽極端子部３３４の横幅（左右方向の長さ）は、陰極端子部３６４の横幅よりも大きい。陽極端子部３３４の横幅は、ＥＬ層３４０の横幅よりも若干小さい。
【００２９】
図示省略のＦＰＣは、陰極端子部３６４に接続される端子を有する第１基板本体（図示省略）と、陽極端子部３３４に接続される端子を有する第２基板本体（図示省略）とを備える。第１基板本体と第２基板本体は同一の基板本体であってもよいし、別体であってもよい。ＥＬ素子４００にＦＰＣが接続された状態では、ガラス基板２０の横幅内にＦＰＣが収まっている。
本実施例では、陽極端子部３３４が左右方向に長く伸びているために、陽極３３０の左右方向での電位差は小さい。陰極端子部３６４の左右方向の幅は陽極端子部３３４と比べて小さいが、陰極３５０を構成する金属の体積抵抗率が小さいために、陰極３５０の左右方向での電位差も小さい。このため、ＥＬ層３４０に印加される電圧は左右方向の差が小さく、ＥＬ層３４０に流れる電流の左右方向の差も小さくなる。従って、左右方向での輝度ムラが低減される。
以上に説明したように、本実施例のＥＬ素子４００によると、ＥＬ層３４０の各位置において輝度ムラを低減することができる。
また、本実施例では、ガラス基板２０におけるＥＬ層３４０の長辺方向の幅が、ＦＰＣにおけるＥＬ層３４０の長辺方向の幅よりも大きい。このため、ＦＰＣを含めたＥＬ素子ユニットが非常にコンパクトになる。
本実施例のＥＬ素子ユニットは、例えば、コピー機、ファクシミリ、スキャナ等の画像読取部用の光源として好適である。ＥＬ素子ユニットの長手方向にＦＰＣが伸びていないので、画像読取部やそれを使ったコピー機、ファクシミリ、スキャナーの小型化、特にＥＬ素子ユニットの長手方向の小型化に寄与する。
【００３０】
（第５実施例）
図８を参照して、第５実施例のＥＬ素子５００について説明する。図８は、ＥＬ素子５００の平面図である。ＥＬ素子５００は、ガラス基板２０と陽極４３０とＥＬ層４４０と陰極４５０を有している。
陽極４３０は、ガラス基板２０の上面に形成されている。陽極４３０は、ガラス基板２０の横幅のほぼ全域に亘って伸びている部分４３０ａと、その部分４３０の主に右側領域から下方（図８の下方）に伸びている部分４３０ｂと、その部分４３０ｂの右側領域から下方に伸びている部分４３０ｃを有する。部分４３０ｃの下端には、ＦＰＣの端子（図示省略）と接続される陽極端子部４３４が形成されている。仮想線４３２は陽極端子部４３４の上端である。陽極端子部４３４は、ＥＬ層４４０の下側の長辺に沿って配置されている。
ＥＬ層４４０は、主に陽極４３０の上面に形成されている。ＥＬ層４４０は、平面視すると横長の略長方形状である。
【００３１】
陰極４５０は、主にＥＬ層４４０の上面に形成されている。陰極４５０は、金属によって構成されている。陰極４５０は、平面視すると略Ｌ字形状である。即ち、陰極４５０は、ＥＬ層４４０の横幅のほぼ全域に亘って伸びる部分４５０ｂと、その部分４５０ｂの左側領域から下方（図８の下方）に伸びる部分４５０ｃを有している。符号４５０ａは、部分４５０ｃの下端を示している。
接続部４６０は、平面視すると横長の長方形状である。接続部４６０の上部の上面に、陰極４５０の部分４５０ｃが接続されている。これにより、陰極４５０と接続部４６０が電気的に接続されている。符号４６０ａは接続部４６０の上端である。接続部４６０の下端には、ＦＰＣの端子（図示省略）と接続される陰極端子部４６４が形成されている。仮想線４６２は陰極端子部４６４の上端である。陰極端子部４６４は左右方向に伸びている。陰極端子部４６４は、ＥＬ層４４０の下側の長辺に沿って配置されている。
なお、陽極端子部４３４の横幅（左右方向の長さ）は、陰極端子部４６４の横幅とほぼ同じである。
本実施例では、陽極端子部４３４の横幅が、上記した各実施例と比べて小さい。陽極４３０の左右方向の全域に亘って一定量の電力を供給するために、補助電極４３８が設けられている。補助電極４３８は、陽極４３０の部分４３０ｂの上面に形成されている。補助電極４３８は、左右方向に伸びており、その横幅（左右方向の長さ）は陽極端子部４３４の横幅よりも大きい。補助電極４３８は、陰極４５０と同じ材料によって構成されている。補助電極４３８の体積抵抗率は非常に小さい（ＩＴＯよりもはるかに小さい）。
【００３２】
図示省略のＦＰＣは、陰極端子部４６４に接続される端子と、陽極端子部４３４に接続される端子を有する。ＥＬ素子５００にＦＰＣが接続された状態では、ガラス基板２０の横幅内にＦＰＣが収まっている。
本実施例では、陽極端子部４３４の幅は小さいが、補助電極４３８が左右方向に伸びているため、陽極４３０の左右方向での電位差は小さい。陰極端子部４６４の左右方向の幅は陽極４３０の部分４３０ｂの幅に比べて小さいが、陰極４５０を構成する金属の体積抵抗率は小さいため、陰極４５０の左右方向での電位差も小さい。このため、ＥＬ層４４０に印加される電圧は、左右方向の差が小さく、ＥＬ層４４０に流れる電流の左右方向でのさも小さくなる。従って、左右方向での輝度ムラが低減される。
以上に説明したように、本実施例のＥＬ素子５００によると、ＥＬ層４４０の各位置において輝度ムラを低減することができる。また、陽極端子部４３４と陰極端子部４６４が下方側（図８の下方側）に配置されているために、ＦＰＣの基板本体部材の一辺に沿って端子を配置することができる。このために、ＦＰＣの構成を簡単にすることができる。
また、本実施例では、ガラス基板２０におけるＥＬ層４４０の長辺方向の幅が、ＦＰＣにおけるＥＬ層４４０の長辺方向の幅よりも大きい。このため、ＦＰＣを含めたＥＬ素子ユニットが非常にコンパクトになる。
本実施例のＥＬ素子ユニットは、例えば、コピー機、ファクシミリ、スキャナ等の画像読取部用の光源として好適である。ＥＬ素子ユニットの長手方向にＦＰＣが伸びていないので、画像読取部やそれを使ったコピー機、ファクシミリ、スキャナーの小型化、特にＥＬ素子ユニットの長手方向の小型化に寄与する。
また、本実施例では、陽極端子部４３４を小さくすることができるために、ＦＰＣの端子の数を少なくすることができる。このために、ＦＰＣの構成を簡単化することができる。
【００３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
（１）第１実施例において、ＥＬ層４０の横幅Ｌ１は、陽極端子部３４の横幅Ｌ２と陰極端子部６４の横幅Ｌ３の和にほぼ等しい。しかしながら、横幅Ｌ２や横幅Ｌ３をギャップＬ４より小さくしてもよい。また、横幅Ｌ２と横幅Ｌ３とギャップＬ４を同じ長さにしてもよい。また、横幅Ｌ２と横幅Ｌ３が同じ長さであり、かつ、横幅Ｌ２と横幅Ｌ３の和が横幅Ｌ１の１／２であってもよい。
本発明において、陰極端子部（陽極端子部３４等）及び陰極端子部（陰極端子部６４等）は、ガラス基板２０上のＥＬ層（ＥＬ層４０等）の横幅Ｌ１の範囲内に配置されていれば、ＥＬ層の縦幅Ｌ１’方向（ＥＬ層の短辺方向）の位置は問わない。また、横幅Ｌ１の範囲内に陽極端子部（陽極端子部３４等）及び陰極端子部（陰極端子部６４等）がＥＬ層（ＥＬ層４０等）の長辺方向に沿って配置されていれば、横幅Ｌ２及び横幅Ｌ３の長さは、横幅Ｌ１の長さよりも短くてもよい。なお、これらの技術を他の実施例に適用できることは言うまでもない。
（２）上記実施例では、３つの端子６２０〜６２４（図１参照）を用いたが、端子の本数は変更することができる。また、６つの端子６３０〜６４０を用いたが、端子の本数は変更することができる。
また、上記実施例では、基板本体上に形成された配線パターンを端子として用いている。しかしながら、端子の構成は適宜変更することができる。
（３）ＥＬ層の形状として種々の形状を採用することができる。
図９（ａ）のような長方形を採用することができる一方で、図９（ｂ）のような形状を採用することもできる。図９（ｂ）の形状は略長方形と言うことができる。この場合、符号６５２の長辺に沿って、陽極端子部と陰極端子部を配置してもよい。また例えば、符号６５４の辺と符号６５６の辺を併せて長辺と呼ぶこともできる。符号６５４の辺に沿って一方の電極の端子部を配置し、符号６５６の辺に沿って他方の電極の端子部を配置してもよい。
図９（ｃ）のような楕円形状のＥＬ層を採用することもできる。この場合、ＥＬ層を保持する基板の横幅内に導電体基板が収まることが好ましい。なお、ＥＬ層の横幅Ｌ内に導電体基板が収まるようにしてもよい。
（４）また、図１０のような形状の陽極を採用することもできる。図１０のＥＬ素子５０１において、符号５３０は陽極であり、符号５４０はＥＬ層であり、符号５５０は陰極である。陰極５５０は、金属によって構成されている。例えば、陽極５３０の部分５３０ｂの横幅が、ＥＬ層５４０の短辺方向に変化する形状を採用することができる。即ち、陰極端子部５６４とほぼ同じ横幅の陽極端子部５３４から陽極５３０の部分５３０ａに向かうに従って徐々に広がる形状（台形）を採用してもよい。
また、体積抵抗率がＩＴＯよりはるかに小さい補助電極５３８を、例えば、図１０のように設けてもよい。
陽極５３０の部分５３０ｂの領域内で陽極端子部５３４から離れた領域（陽極端子部５３４からの距離がＥＬ層５４０までの距離よりも大きい領域）を少なくとも含む領域に補助電極５３８を設けることにより、陽極端子部５３４から流れる電流がより均一にＥＬ層５４０に流れやすくなる。従って、ＥＬ層５４０に流れる電流の左右方向の差が小さくなり、左右方向での輝度ムラが低減される。
【００３４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００３５】
【図１】第１実施例のＥＬ素子ユニットの平面図である。
【図２】図１のII−II線断面図である。
【図３】図１のIII−III線断面図である。
【図４】図１のIV−IV線断面図である。
【図５】第２実施例のＥＬ素子の平面図である。
【図６】第３実施例のＥＬ素子の平面図である。
【図７】第４実施例のＥＬ素子の平面図である。
【図８】第５実施例のＥＬ素子の平面図である。
【図９】ＥＬ層の平面図である。ＥＬ層の形状を説明するための図である。
【図１０】変形例のＥＬ素子の平面図である。
【符号の説明】
【００３６】
２０：ガラス基板  ３０、１３０、２３０、３３０、４３０、５３０：陽極  ３２、１３２、２３２ａ、２３２ｂ、３３２、４３２：陽極端子部の上端  ３４、１３４、２３４ａ、２３４ｂ、３３４、４３４、５３４：陽極端子部  ４０、１４０、２４０、３４０、４４０、５４０：ＥＬ層  ５０、１５０、２５０、３５０、４５０、５５０：陰極  ６０、１６０、２６０、３６０、４６０：接続部  ６２、１６２、１６８、２６２、３６２、４６２：陰極端子部の上端  ６４、１６３、１６９、２６４、３６４、４６４、５６４：陰極端子部  １００、２００、３００、４００、５００、５０１：ＥＬ素子  ４３８、５３８：補助電極  ６００：ＦＰＣ  ６１０：ＦＰＣの基板  ６２０、６２２、６２４、６３０、６３２、６３４、６３６、６３８、６４０：ＦＰＣの端子  ７００：ＥＬ素子ユニット
【図１】
2007026971.tif 000003
【図２】
2007026971.tif 000004
【図３】
2007026971.tif 000005
【図４】
2007026971.tif 000006
【図５】
2007026971.tif 000007
【図６】
2007026971.tif 000008
【図７】
2007026971.tif 000009
【図８】
2007026971.tif 000010
【図９】
2007026971.tif 000011
【図１０】
2007026971.tif 000012